(57)【特許請求の範囲】
【請求項１】
複数の通信規格に適合可能に構成されたファクシミリ装置において、
外部のコンピュータ装置と接続し、該コンピュータ装置との情報の送受信を制御するコンピュータインタフェース制御部を備え、
前記コンピュータ装置から該コンピュータ装置上で動作しているＯＳ（Operating System）の情報を受信し、該ＯＳの情報に基づいて適合させる通信規格を選択して、該通信規格により通信を制御することを特徴とするファクシミリ装置。
【発明の詳細な説明】
【０００１】
【発明の属する技術分野】
本発明は、ファクシミリ装置に関し、詳しくは、複数の国の回線制御・機能を切り替え可能なファクシミリ装置に関する。
【０００２】
【従来の技術】
従来から、世界の多くの国では電話回線接続や接続端末に独自の規格を持ち、接続端末装置の開発にあたってはその規格に従って国により異なる回線制御方法、通信制御方法などを実現する必要がある。
【０００３】
このような規格に基づく制御方法の差異・電源電圧の差異・市場要求の差異などを吸収し、単一の端末装置に複数国の仕様・制御方法を包含して実現するために、メモリー上に国を識別する情報（以下、カントリーコードという）を設定し、その値を判別することにより制御方法を決定することが多く、ファクシミリ装置においても行われている。
【０００４】
【発明が解決しようとする課題】
しかしながら、このような従来のファクシミリ装置にあっては、カントリーコードをユーザが設定する際、ファクシミリ装置本体の操作部から設定する方法は、一般に表示器の大きさやキーの数などに制約があり、カントリーコードの選択肢が多い場合には選択操作が複雑となるという問題があった。
【０００５】
そこで、本発明は、コンピュータ装置から受信した情報に基づいてカントリーコードを設定することにより、カントリーコードの設定を自動的に行うことができるようにして、利便性の高いファクシミリ装置を提供することを目的とする。
【０００６】
【課題を解決するための手段】
上記目的達成のため、請求項１に記載の発明は、複数の通信規格に適合可能に構成されたファクシミリ装置において、外部のコンピュータ装置と接続し、該コンピュータ装置との情報の送受信を制御するコンピュータインタフェース制御部を備え、前記コンピュータ装置から該コンピュータ装置上で動作しているＯＳの情報を受信し、該ＯＳの情報に基づいて適合させる通信規格を選択して，該通信規格により通信を制御することを特徴とするものである。
【０００７】
この請求項１に記載の発明では、コンピュータ装置からコンピュータ装置上で動作しているＯＳの情報を受信し、受信したＯＳの情報に基づいて適合させる通信規格が決定される。したがって、ＯＳの情報の示す国に適合した通信規格が適用される。
【００１２】
【発明の実施の形態】
図１、図２は本発明に係るファクシミリ装置の第１実施形態を示す図である。図１において、ファクシミリ装置１０は、ＣＰＵ（Central Processing Unit）１１、ＲＯＭ（Read Only Memory）１２、バッファメモリ１３、パラメータメモリ１４、コンピュータＩ／Ｆ（インタフェース）制御部１５、網制御装置１６、モデム１７、通信制御部１８、符号化復号化部１９、スキャナ２０、プロッタ２１、操作表示部２２、画像メモリ２３、キャラクタジェネレータ２４がバス３０を介して接続されている。
【００１３】
ＣＰＵ１１は、ＲＯＭ１２内に格納されているプログラムに従って、装置各部を制御してファクシミリ装置の所定の動作を実行するものである。
【００１４】
バッファメモリ１３は、装置各部の駆動条件や管理データ等の各種情報を記憶するとともに動作する上で必要なデータを記憶するものである。
【００１５】
パラメータメモリ１４は、バッテリ１４ａによりバックアップされ、ファクシミリ通信する相手先の電話番号等の情報や、上述したカントリーコードや、回線制御・通信制御に使用する通信パラメータの値など予め設定されている情報を蓄積するものである。
【００１６】
コンピュータＩ／Ｆ制御部１５は、コンピュータＩ／Ｆハードウェアを制御し、コンピュータＩ／Ｆハードウェアに接続した回線４１を介して外部のコンピュータ４０に接続し、コンピュータ４０と情報の送受信をするとともに、送信する情報の作成や、受信した情報の解析をするものである。すなわち、コンピュータ４０からのカントリーコード設定に関する情報を受信するコンピュータインタフェース制御部として機能するものである。
【００１７】
ここで、コンピュータとのインタフェースとしては、例えば、ＲＳ−２３２Ｃインタフェースを使用する。
【００１８】
網制御装置１６は、公衆回線網に接続され、回線の捕捉、送信先電話番号である選択信号の送出、着呼の検出などにより、所定の送信動作および受信動作を行なうものである。
【００１９】
モデム１７は、画像データを変復調し網制御装置１６を介して伝送するとともに、伝送制御手順における各種手順信号も伝送するものである。
【００２０】
通信制御部１８は、モデム１７を制御し網制御装置１６を介して画情報を送受信するものである。
【００２１】
符号化復号化部１９は、読み取った送信する画像データを符号化したり、受信した圧縮された画像データの復号化を行なうものである。
【００２２】
スキャナ２０は、送信する原稿の画像を読み取って画像データに変換するものである。
【００２３】
プロッタ２１は、帯電部、現像部、定着部、感光体、給紙部などから構成され、画像データを用紙に記録出力するものである。
【００２４】
操作表示部２２は、装置の状態や、操作ガイダンスを表示するとともに、装置に対する各種操作を行なうものである。
【００２５】
画像メモリ２３は、スキャナ２０により読み取られ符号化復号化部１９により圧縮された画像データや網制御装置１６により受信された圧縮状態の画像データを蓄積するものである。
【００２６】
キャラクタジェネレータ２４は、英・数・カナ・記号および漢字など各文字のフォントデータを格納しているものである。
【００２７】
なお、２０ａはスキャナ２０にセットされた原稿の有無を検出する原稿センサ、２１ａはプロッタ２１の記録紙カセット内にセットされている記録紙の有無を検出する記録紙センサである。
【００２８】
このファクシミリ装置１０は、ＣＰＵ１１が、パラメータメモリ１４内に設定されている回線制御・通信制御に使用する通信パラメータの値を参照して、通信制御部１８や操作表示部２２などを制御してファクシミリ通信の各種機能を実現するようになっている。
【００２９】
そして、ＲＯＭ内には、複数の国の規格に対応するために、各国毎に通信パラメータの値が設定されており、その設定値を読み出してパラメータメモリ１４内に設定することにより、複数の国の規格による回線制御方法、通信制御方法を実現するようになっており、どの国の規格による回線制御方法、通信制御方法を実行するかは、パラメータメモリ１４内に設定されたカントリーコードにより選択するようになっている。
【００３０】
そして、このカントリーコードの設定は、コンピュータＩ／Ｆ制御部１５に接続したコンピュータ４０（以下、ＰＣという）において、そのＰＣ４０上で動作するカントリーコード設定用のユーティリティソフトウェアにより設定したカントリーコードを回線４１を介してファクシミリ装置に送信したり、ＰＣ４０にインストールされているＯＳ（Operating  System）の情報を同様に送信して、その情報を受信したファクシミリ装置側でその情報に基づいて設定するようになっている。
【００３１】
具体的には、図２のフローチャートに示すように、ＣＰＵ１１は、コンピュータＩ／Ｆ制御部１５から通知されるＰＣからの信号を監視し（Ｓ１１）、信号を受信すると、その信号の内容がＰＣにインストールされているＯＳ情報であるかを判定し（Ｓ１２）、ＯＳ情報でなければ、信号の内容がカントリーコードであるかを判定する（Ｓ１３）。カントリーコードでなければ、受信した信号の内容に応じた処理を行い（Ｓ１７）、ステップ１１に戻って監視を続ける。
【００３２】
信号の内容がカントリーコードであれば、その値をパラメータメモリ１４内のカントリーコードを設定するエリアに設定する（Ｓ１４）。
【００３３】
次いで、ＣＰＵ１１は、設定されたカントリーコードがファクシミリ装置側で対応している国であるかどうかを判別し（Ｓ１５）、対応していない国である場合は、操作表示部２２にエラー情報を通知してエラーメッセージを表示させたり、エラー情報をコンピュータＩ／Ｆ制御部１５を介してＰＣ側に送信するなどのエラー処理を行う（Ｓ１８）。
【００３４】
ファクシミリ装置側で対応している国である場合、その国に適合する回線制御方法、通信制御方法に使用する通信パラメータの値をＲＯＭ１２内から読み出し、パラメータメモリ１４に設定する（Ｓ１６）。
【００３５】
その後、ＣＰＵ１１は、パラメータメモリ１４に設定した通信パラメータの値を参照して、装置各部を制御してその国に適合した回線制御方法、通信制御方法で通信を行う。
【００３６】
また、ステップ１２で、信号の内容がＯＳ情報の場合、その中に含まれる国の情報（または言語情報）を識別し、その国のカントリーコードの値をパラメータメモリ１４内のカントリーコードを設定するエリアに設定し（Ｓ１９）、ステップ１５からの処理を行う。例えば、ＯＳ情報として“ドイツ語版Ｗｉｎｄｏｗｓ”という情報を受信すると、カントリーコードを“ドイツ”に設定する。
【００３７】
このように本実施形態においては、ＰＣ４０から送られてきたカントリーコードをファクシミリ装置のカントリーコードとして設定しているので、国毎の装置開発やサービスによる導入前のカントリーコード設定が不要となり、コストの削減を図ることができる。
【００３８】
また、ＰＣ４０を使ってファクシミリ装置のカントリーコードの設定を容易に行うことができ、利便性を向上させることができる。
【００３９】
また、ＰＣ４０から送られてきたＯＳ情報を基にカントリーコードを設定しているので、カントリーコードの設定が自動化され、利便性を向上させることができる。
【００４０】
なお、本実施形態においては、ＰＣ４０とのインタフェースとしてＲＳ−２３２Ｃインタフェースを使用したがこれに限定されるものではなく、例えば、イーサネットインタフェースを使用してもかまわない。
【００４１】
次に、図３、図４は本発明に係るファクシミリ装置の第２実施形態を示す図である。なお、本実施形態は、上述第１実施形態と略同様に構成されているので、同様な構成には同一の符号を付して特徴部分のみ説明する。
【００４２】
本実施形態の特徴は、図３に示すように、外部のコンピュータとは接続しておらず、ファクシミリ装置で操作上使用する言語を選択する機能を有しており、該機能で選択された言語を利用してカントリーコードを設定することにある。
【００４３】
具体的には、図４のフローチャートに示すように、ＣＰＵ１１（言語設定手段）は、ユーザが操作表示部２２（言語設定手段）に表示する機能選択ファンクションから言語選択機能を選択すると、言語選択ファンクションにより機能により言語を選択させ（Ｓ２１）、選択された言語に対応する言語コードをパラメータメモリ１４内に設定する（Ｓ２２）。
【００４４】
次いで、ＣＰＵ１１は、選択された言語による国をカントリーコードに反映させるかを操作表示部２２にガイダンス表示させ、キー入力による選択をユーザに促す（Ｓ２３）。これは、例えば、ユーザが使用する言語としてフランス語を選択した場合、ファクシミリ装置はドイツ国内で使用するのであれば、ユーザは言語の設定をカントリーコードの設定には“反映しない”という選択を行い、ファクシミリ装置をフランス国内で使用するのであれば、ユーザは言語の設定をカントリーコードの設定に“反映する”を選択することになる。
【００４５】
ユーザがキー入力をすると、ＣＰＵ１１は、操作表示部２２から通知されるキー入力の内容を判定し（Ｓ２４）、キー入力の内容が“反映しない”であれば、処理を終了する。
【００４６】
キー入力の内容が“反映する”であれば、言語コードに対応したカントリーコードをパラメータメモリ１４内のカントリーコードを設定するエリアに設定する（Ｓ２５）。
【００４７】
次いで、ＣＰＵ１１は、設定されたカントリーコードがファクシミリ装置側で対応している国であるかどうかを判別し（Ｓ２６）、対応していない国である場合は、操作表示部２２にエラー情報を通知してエラーメッセージを表示させるなどのエラー処理を行う（Ｓ２８）。
【００４８】
ファクシミリ装置側で対応している国である場合、その国に適合する回線制御方法、通信制御方法に使用する通信パラメータの値をＲＯＭ１２内から読み出し、パラメータメモリ１４に設定する（Ｓ２７）。
【００４９】
その後、ＣＰＵ１１は、パラメータメモリ１４に設定した通信パラメータの値を参照して、装置各部を制御してその国に適合した回線制御方法、通信制御方法で通信を行う。
【００５０】
このように本実施形態においては、ファクシミリ装置で操作上使用する言語として選択された言語に対応する国をカントリーコードとして設定することができるので、国毎の装置開発やサービスによる導入前のカントリーコード設定が不要となり、コストの削減を図ることができるとともに、カントリーコードの設定が自動化され、利便性を向上させることができる。
【００５１】
【発明の効果】
本発明によれば、コンピュータ装置から受信した国を識別する情報によりその国に適合した通信規格を適用して通信を制御しているので、カントリーコードの設定操作が容易になり、利便性を向上させることができる。また、国毎の装置の開発やサービスによる導入前のカントリーコード設定が不要となり、コストの削減を図ることができる。
【００５２】
また、国を識別する情報をコンピュータ装置上で動作しているＯＳの情報とすれば、コンピュータ装置上でのカントリーコードの選択設定操作を行わなくてもファクシミリ装置にカントリーコードを設定することができ、利便性を向上させることができる。
【００５３】
また、本発明によれば、言語設定手段により設定された言語情報に基づいて、言語により特定される国に適合した通信規格を適用して通信を制御しているので、カントリーコードの設定操作が容易になり、利便性を向上させることができる。
【図面の簡単な説明】
【図１】本発明に係るファクシミリ装置の第１実施形態を示す図であり、その概略ブロック図である。
【図２】そのカントリーコード設定処理を説明するフローチャートである。
【図３】本発明に係るファクシミリ装置の第２実施形態を示す図であり、その概略ブロック図である。
【図４】そのカントリーコード設定処理を説明するフローチャートである。
【符号の説明】
１０ ファクシミリ装置
１１ ＣＰＵ（言語設定手段）
１２ ＲＯＭ
１３ バッファメモリ
１４ パラメータメモリ
１４ａ バッテリ
１５ コンピュータＩ／Ｆ制御部（コンピュータインタフェース制御部）
１６ 網制御装置
１７ モデム
１８ 通信制御部
１９ 符号化復号化部
２０ スキャナ
２０ａ 原稿センサ
２１ プロッタ
２１ａ 記録紙センサ
２２ 操作表示部（言語設定手段）
２３ 画像メモリ
２４ キャラクタジェネレータ
３０ バス
４０ コンピュータ
４１ 回線
【図１】
0003913433.tif 000002
【図２】
0003913433.tif 000003
【図３】
0003913433.tif 000004
【図４】
0003913433.tif 000005